(57)【要約】【課題】コンピュータ用モニタやビデオ用スクリーンなどのモニタのユーザが紙原稿などの媒体をモニタに対して見やすい位置に取り付ける必要性を満たすこと。【解決手段】１枚または２枚以上のシート媒体をモニタに対して支持するためのホルダであって、このホルダは、本体部と、使用時にシート媒体が本体部に対面する配置で支持されるようにシート媒体を本体部に接触付勢するように構成される複数の保持部と、本体部をモニタに連接させ得る連接部とを備える。【選択図】図１
2013105498.tif 000002
【特許請求の範囲】
【請求項１】
モニタに対して１枚または２枚以上のシート媒体を支持するためのホルダであって、
本体部と；
使用時にシート媒体が該本体部に対面する配置で支持されるようにシート媒体を該本体部に接触付勢するように構成される複数の保持部と；
該本体部を該モニタに連接させ得る連接部と；
を備える、ホルダ。
【請求項２】
前記本体部が前面を含み、前記保持部が、使用時にシート媒体が該前面に対面する配置で支持されるようにシート媒体を該前面に接触付勢するように構成されることを特徴とする、請求項１に記載のホルダ。
【請求項３】
前記前面が略平らな前方を向いた面であることを特徴とする、請求項２に記載のホルダ。
【請求項４】
前記保持部が可撓性を有することを特徴とする、請求項１〜３のいずれかに記載のホルダ。
【請求項５】
前記保持部が可撓性ポリマーを備えることを特徴とする、請求項４に記載のホルダ。
【請求項６】
前記保持部が前記本体部を横切って延出する延長部を備えることを特徴とする、請求項１〜５のいずれかに記載のホルダ。
【請求項７】
前記保持部が、使用時に前記モニタの端縁に略直交する角度で延出するように構成されることを特徴とする、請求項６に記載のホルダ。
【請求項８】
前記保持部が、前記本体部とともに保持凹部を画成することを特徴とする、請求項１〜７のいずれかに記載のホルダ。
【請求項９】
前記本体部が、前記保持部と整列した、前面から該本体部の中へ延出する複数の開口部を含むことを特徴とする、請求項１〜８のいずれかに記載のホルダ。
【請求項１０】
前記保持部が細長いことを特徴とする、請求項１〜９のいずれかに記載のホルダ。
【請求項１１】
前記連接部が、前記本体部を前記モニタの端縁部に連接させ得ることを特徴とする、請求項１〜１０のいずれかに記載のホルダ。
【請求項１２】
前記連接部が、前記本体部の一側に沿って延出することを特徴とする、請求項１〜１１のいずれかに記載のホルダ。
【請求項１３】
前記保持部が、前記連接部から離間する方向に前記本体部を横切って延出することを特徴とする、請求項１２に記載のホルダ。
【請求項１４】
前記連接部が、接着剤を備えることを特徴とする、請求項１〜１３のいずれかに記載のホルダ。
【請求項１５】
前記連接部が、１つまたは２つ以上のクリップを備えることを特徴とする、請求項１〜１４のいずれかに記載のホルダ。
【請求項１６】
前記連接部が、前記本体部をモニタに離脱可能に付設させ得ることを特徴とする、請求項１〜１５のいずれかに記載のホルダ。
【請求項１７】
前記本体部から外側に延出する少なくとも１つのアーム部を更に備えることを特徴とする、請求項１〜１６のいずれかに記載のホルダ。
【請求項１８】
前記または各アーム部が、該アーム部が前記本体部から外側に延出し前記ホルダに配置されたシート媒体を支持するように構成されている支持位置と、後退位置との間を移動可能であることを特徴とする、請求項１７に記載のホルダ。
【請求項１９】
前記後退位置において、前記または各アーム部が前記本体部と整列していることを特徴とする、請求項１８に記載のホルダ。
【請求項２０】
前記後退位置において、前記または各アーム部が前記本体部の後面の後方に配置されることを特徴とする、請求項１８または１９に記載のホルダ。
【請求項２１】
前記後退位置において、前記または各アーム部が前記本体部の前方の位置から視認できないことを特徴とする、請求項１９に記載のホルダ。
【請求項２２】
前記支持位置において、前記アーム部が前記モニタから離れるように延出することを特徴とする、請求項１８または１９に記載のホルダ。
【請求項２３】
細長い本体部と該本体部に付設された複数の保持部とを備え、各保持部は挿入凹部を画成する延長部を備え、該挿入凹部は該保持部が該本体部に付設する閉塞端から開放端へ延出し、該開放端は該細長い本体部に対する横方向平面で該閉塞端から離間しており、該保持部は、使用時に該挿入凹部に挿入されたシート媒体が該本体部により支持されるように該本体部と接触するようシート媒体を付勢するように構成されるホルダであって、該本体部の一部分が該保持部の横方向外側に配置されるように、該本体部が該保持部を超えて横方向に延出することを特徴とするホルダ。
【発明の詳細な説明】
【技術分野】
【０００１】
例えばコンピュータ用モニタなどのモニタに対して容易に視認できる状態でシート媒体を支持するためのホルダが開示される。
【発明の概要】
【発明が解決しようとする課題】
【０００２】
コンピュータ用モニタやビデオ用スクリーンなどのモニタのユーザは、紙原稿などの媒体をモニタに対して見やすい位置に取り付けることを必要としている。
【課題を解決するための手段】
【０００３】
本発明は、モニタに対して１枚または２枚以上のシート媒体を支持するためのホルダであって、本体部と；使用時にシート媒体が該本体部に対面する配置で支持されるようにシート媒体を該本体部に接触付勢するように構成される複数の保持部と；該本体部を該モニタに連接させ得る連接部と；を備える、ホルダを提供することを１つの特徴とする。
【０００４】
本発明は、細長い本体部と該本体部に付設された複数の保持部とを備え、各保持部は挿入凹部を画成する延長部を備え、該挿入凹部は該保持部が該本体部に付設する閉塞端から開放端へ延出し、該開放端は該細長い本体部に対する横方向平面で該閉塞端から離間しており、該保持部は、使用時に該挿入凹部に挿入されたシート媒体が該本体部により支持されるように該本体部と接触するようシート媒体を付勢するように構成されるホルダであって、該本体部の一部分が該保持部の横方向外側に配置されるように、該本体部が該保持部を超えて横方向に延出することを特徴とするホルダを提供することをもう１つの特徴とする。
【発明の効果】
【０００５】
本発明の上記特徴によれば、シート媒体が視認できるように、ホルダにシート媒体を容易に配置し、ホルダでシートを支持することが可能となる。
【０００６】
前記概要は単に例示のためであり、多少なりとも限定を意図するものではない。例示された側面、実施態様および上記の特徴に加えて、更なる側面、実施態様および特徴は、図面と下記の詳細な説明により明らかになるであろう。
【図面の簡単な説明】
【０００７】
【図１】図１は、本発明の一実施例のホルダの前面斜視図である。
【図２】図２は、図１のホルダの後面斜視図である。
【図３】図３は、図１のホルダの側面図である。
【図４】図４は、図１のホルダの側面図である。
【図５】図５は、図１のホルダの上面図である。
【図６】図６は、図１のホルダの底面図である。
【図７】図７は、図１のホルダの前面図である。
【図８】図８は、図１のホルダの後面図である。
【図９】図９は、コンピュータ用モニタに連接した、図１のホルダの前面図である。
【図１０】図１０は、図９のホルダの後面図である。
【図１１】図１１は、本発明の第３の実施例のホルダの前面斜視図である。
【図１２】図１２は、図１１のホルダの後面図である。
【図１３】図１３は、図１１のホルダの上面図である。
【図１４】図１４は、図１１のホルダの前面図である。
【図１５】図１５は、図１１のホルダの側面図である。
【図１６】図１６は、図１１のホルダの後面斜視図である。
【図１７】図１７は、図１１のホルダの側面図である。
【図１８】図１８は、図１１のホルダの底面図である。
【図１９】図１９は、磁石部を備えたホルダの第３の実施例の前面図である。
【図２０】図２０は、図１９のホルダの後面図である。
【図２１】図２１は、図１９のホルダの側面図である。
【図２２】図２２は、図１９のホルダの上面図である。
【図２３】図２３は、図１９のホルダの底面図である。
【図２４】図２４は、本発明のホルダの第４の実施例の前面図である。
【発明を実施するための形態】
【０００８】
次に、本発明の好適な実施例を、添付の図面を参照して単に例として説明する。
【０００９】
以下の詳細な説明において、詳細な説明の一部を構成する添付図面を参照する。詳細な説明に記載され、図面に描かれ、請求項で定義された例としての実施例は、限定するためのものではない。他の実施例を使用することも可能であり、また提示された主題の要旨の範囲で他の変更も可能である。ここに概要が記載され図面に例示された本発明の側面は、種々様々な異なる構成で配置、置換、組み合わせ、分離、設計できることは容易に理解されるものであり、そのすべてが本発明で考慮されている。
【００１０】
本発明は、コンピュータ用モニタなどのモニタやスクリーンに対して１枚または２枚以上のシート媒体を支持するためのホルダに概して関する。実施例ではコンピュータ用モニタに連接するよう構成されるホルダが記載されているが、前記ホルダは、テレビスクリーン、ビデオ用モニタ、セキュリティモニタ、あるいは棚、机、保管用戸棚など、シート媒体を視認する必要がありうるすべての他のものに取り付けるために使用できることは明らかであろう。
【００１１】
ある態様では、モニタに対して１枚または２枚以上のシート媒体を支持するためのホルダであって、本体部と、使用時にシート媒体が前記本体部に対面する配置で支持されるようにシート媒体を本体部に接触付勢するように構成される複数の保持部と、前記本体部を前記モニタに連接させ得る連接部とを備えるホルダが開示される。
【００１２】
ある態様では、前記本体部が前面を含み、前記保持部が、使用時にシート媒体が該前面に対面する配置で支持されるようにシート媒体を該前面に接触付勢するように構成される。
【００１３】
ある態様では、前記前面が、略平らな前方を向いた面である。
【００１４】
ある態様では、前記保持部が可撓性を有する。ある態様では、前記保持部が可撓性ポリマーを備える。
【００１５】
ある態様では、前記保持部の可撓性材料が湾曲することにより、保持部は本体部に向けて有効に付勢される。この付勢の結果、前記保持部と前記本体部の間に挿入されたシート媒体は、前記本体部に対して付勢され、これによりシート媒体が本体部により支持されることを可能とする。
【００１６】
ある態様では、前記保持部が、前記本体部を横切って延出する延長部を備える。
【００１７】
ある態様では、前記保持部が、使用時に前記モニタの端縁に略直交する角度で延出するように構成される。
【００１８】
ある態様では、前記保持部が、前記本体部とともに保持凹部を画成する。
【００１９】
ある態様では、前記本体部が、前記保持部と整列した、前面から前記本体部の中へ延出する複数の開口部を含む。
【００２０】
ある態様では、前記保持部が細長い形状を有する。
【００２１】
ある態様では、前記保持部は、本体部の長さに沿って離間している。
【００２２】
ある態様では、前記保持部は、相互に略並行であるように延出する。
【００２３】
ある態様では、前記連接部が、前記本体部を前記モニタの端縁部に連接させ得る。
【００２４】
前記連接部は、モニタを見ている人が前記ホルダにより支持されたシート媒体を視認可能であるように前記モニタの端縁部に配置可能である。
【００２５】
ある態様では、前記連接部が、前記本体部の一側に沿って延出する。
【００２６】
ある態様では、前記保持部が、前記連接部から離れる方向に前記本体部を横切って延出する。
【００２７】
ある態様では、前記連接部が、接着剤を備える。
【００２８】
ある態様では、前記連接部が、１つまたは２つ以上のクリップを備える。
【００２９】
ある態様では、前記連接部が、前記本体部をモニタに離脱可能に付設させ得る。
【００３０】
ある態様では、前記ホルダは、前記本体部から外側に延出する少なくとも１つのアーム部を更に備える。
【００３１】
ある態様では、前記アーム部は、シート媒体を支持するように構成されており、具体的にはホルダの本体部によってシートが支持される側から遠い位置でシートを支持する。これにより、幅の広いシート媒体をホルダによって支持することが可能となる。
【００３２】
ある態様では、前記または各アーム部が、前記アーム部が前記本体部から外側に延出し前記ホルダに配置されたシート媒体を支持するように構成されている支持位置と、後退位置との間を移動可能である。
【００３３】
ある態様では、前記後退位置において、前記または各アーム部が前記本体部と整列している。
【００３４】
ある態様では、前記アーム部は、前記ホルダがコンパクトな形状にパックできるように移動可能であり、ホルダの収納および運搬を可能にする、あるいはすぐに使用しない場合にホルダが嵩張らないようにすることが可能である。
【００３５】
ある態様では、前記支持位置において、前記アーム部が、前記モニタから離れるように延出する。ある態様では、前記アーム部は、ある特定の角度でシート媒体を支持するように移動可能であり、最良に支持するために本体部に対して任意の角度に配置可能である。
【００３６】
ある態様では、前面と後面とを有する本体部と、該前面の一部を横切って延出し本体部の方へ付勢された複数の保持部と、該後面に配置された磁石部とを備えるホルダが開示される。
【００３７】
本発明のある態様のホルダによれば、ユーザがシートを好ましい向きで視認できるように、Ａ４サイズまたは略等しいサイズのシート媒体をモニタに対して垂直または水平に保持し、ホルダで支持することが可能となる。更に、本発明のある態様のホルダによれば、媒体をモニタのどちらかの側面または上部に支持することが可能となる。
【００３８】
図１〜図１０を参照して、ここではコンピュータ用モニタ３（図９および図１０に示されている）である、スクリーンやモニタに対して容易に視認できる状態で１枚または２枚以上のシート媒体２（図９および図１０に示されている）を支持するためのホルダ１が開示される。このホルダは、この態様では細長く、相互に対向する前面５と後面６とを備えた本体部４を備える。これらの前面５および後面６は、この態様では略平らな平面であるが、他の表面も本発明の範囲に含まれることは認識される。
【００３９】
細長い本体部４のため、ホルダ１の重心はクリップ１７の近くに配置され、クリップ１７によりホルダ１をモニタ２に対してうまく支持することが可能となる。
【００４０】
図示された態様では、複数の保持部７が本体部の一部を横切って延出する。これらの保持部７は、本体部４の端縁部に沿って延出する背部８から延出する。他の実施例では、背部は破断していたり、あるいは存在しなくても良い。保持部７の下に配置されたシート媒体が背部８に当接し、またある場合には背部８によって支持されるように、この背部８は機能する。ある態様では、保持部７の連接端部１５がこの目的を果す。保持部は、背部から本体部４の前面５を横切って延出する。
【００４１】
保持部は、例えばプラスチック、ポリマー、可撓性金属などの可撓性材料から構成される。
【００４２】
例示の態様では、本体部４は、本体部４を貫通する複数の開口部９を含む。これらの開口部９は、保持部の後方から挿入されたシート媒体２が僅かに波状に起伏した列を形成するように、保持部７と整列している。
【００４３】
例示の態様では、本体部４を貫通する複数の開口部９を有する本体部４を含むが、これらの開口部は存在しなくてもよく、あるいは、本体部４の内部まで延出するが本体部４の後面６に達していなくてもよい。
【００４４】
前記保持部は、本体部の方へ付勢されており、保持部７と本体部４との間でシート媒体を支持するためにシート媒体を本体部に対して押圧保持するように設計されている。保持部７は、本体部の前面５に沿って離間して配置されている。ある態様では、保持部は、シート媒体の全長に渡ってシート媒体を十分に支持しながら、原稿の形態のシート媒体が見やすいように十分に離間して配置されている。
【００４５】
前記ホルダ１は更に本体部４をモニタ３に連接するように構成される連接部１０を備える。例示の態様では、この連接部は、ホルダがモニタの一側面に沿って延出するように、本体部４をモニタ３の端縁部に離脱可能に連接する。この側面は、側端縁部あるいは上部または底部端縁部を備える。これにより、シート媒体をモニタ３に対して様々な位置に配置することが可能となる。
【００４６】
例示の態様では、本体部４がヒンジ１１を通る軸線１２回りに移動可能であるように、連接部１０はヒンジ１１を介して本体部４に取り付けられている。従って、ホルダ１により支持されたシート媒体２が最もよく見えるように、本体部４を傾斜させることが可能である。
【００４７】
図１〜図１０に示す態様では、前記連接部１０は接着剤を備える。この接着剤は、連接部がモニタに付着できるように、平らな連接部表面１３上に配置される。この接着剤は、連接部がモニタの端縁部表面に離脱可能に係合することを可能とさせ得る。他の実施例では、前記連接部１０は、１つまたは２つ以上のクリップ、または締まりばめ、ベルクロ（登録商標）、圧入、鋲、ピン、ネジなどの他の公知の任意の連接手段を備えることができるであろう。
【００４８】
前記ホルダは更に、本体部４から延出する１つまたは２つ以上のアーム部１４を備える。例示の態様では、２つのアーム部１４が本体部から外側へ延出しており、それらが移動可能であるようにヒンジポイント１５で取り付けられている。これらのアーム部１４は、アーム部１４が本体部４と整列した後退位置（図示せず）との間で移動可能である。例示の態様では、後退位置では、アーム部１４は本体部４の前方の位置から視認できないように配置される。これらのアーム部１４は、アーム部を本体部４にヒンジで付設するためのアームヒンジ１７の回りに回動する。この位置では、ホルダを容易に保管することが可能となる。アーム部は、シート媒体の遠方部分を支持するためにアーム部１４の遠方ポイント１６が本体部４から離間して配置される支持位置へ移動可能である。これにより、Ａ４シートなどのより大きなシートをホルダで支持することが可能となる。
【００４９】
図示しない実施例では、前記ホルダ１は、販売促進物としての使用を可能とするために、広告材、バナー、商用名等を含むようになっているパネルや区分を含む。
【００５０】
使用時に、前記ホルダ１は、モニタ３の任意の端縁部でモニタ３に連接される。本体部４と対向接触するようにシート媒体２を付勢するように保持部７が機能し、またシート媒体２を保持部７と本体部４との間で支持するように、シート媒体３は保持部７と本体部４との間に配置される。シート媒体の後面がアーム部上に支持されるように、アーム部１４を回転し、本体部４から外側へ延出させる。
【００５１】
図１１〜図１８に示す態様では、モニタに対して視認可能位置に１枚または２枚以上のシート媒体を支持するためのホルダ１が開示される。このホルダ１は、本体部４を備え、本体部４はそれを横切って延出する保持部７を有する。
【００５２】
図１１〜図１８に示す態様では、ホルダは更に、ユーザがホルダ１をモニタに取り付けることを可能とするように構成される連接部１０を備える。この連接部１０は、本体部４がクリップ１７に対して角度をなすように移動可能であるようにヒンジで本体部４に付設される頑丈なクランプ・クリップ１７を備える。
【００５３】
例示の態様では、前記クリップ１７は、相互に閉じた位置に付勢されたクランプ・アーム部を備える。例示の態様では、このクリップはブルドッグクリップや同様のクリップを備える。
【００５４】
使用時に、ユーザは、モニタの側面や上部にクリップ１７を付設する。このクリップ１７は、モニタに対して本体部４とアーム部１４とを支持することが可能である。クリップは、細長い本体部４の中心を通ってまたは一端縁部に沿って縦方向に延出するＹ軸の回りに回転するように構成されている。
【００５５】
ある態様では、前記クリップは、本体部を横方向に貫通するＸ軸の回りの回転を支持する。縦方向と横方向の回転の組み合わせにより、本体部をユーザにとって最も快適で明瞭であるように配置することが可能となる。
【００５６】
図１３に示すように、前記クリップ１７は、クリップ１７から延出し係合凹部１９に挿入される係合要素１８によって本体部４に係合される。
【００５７】
ある態様では、ホルダを異なるモニタと使用可能であるように、前記クリップ１７は取外し可能となっている。
【００５８】
ある例示しない態様では、前記ホルダは、モニタと係合させ得るクリップを２つ以上備える。
【００５９】
更にある態様では、図１９〜図２４に示すように、前記ホルダは、金属製物体に対してシート媒体（図示せず）を支持させ得る磁石部２０を備える。この磁石部２０は、前面２４と後面２５とを含む本体部２３を備える。この磁石部は更に本体部２３の前面２４を横切って延出する複数の保持部２７を備える。前記保持部は、連接ポイント２８から遠方ポイント２９へ延出し、保持部２７と前面２４との間に保持凹部を画成する。例示の態様では、前記保持部は可撓性である。保持部２７と前面２４との間に挿入されたシート媒体は、本体部２３と保持部２７とによって支持され、保持部２７の作用によって前面２４に対して付勢されることで磁石部２０に対して固定、保持される。
【００６０】
磁石部材３０は、磁石部２０の後面２５に組み込まれる。
【００６１】
上記に、ホルダを好適な実施例を参照して説明したが、使用された用語は限定するためではなく記載のための用語であり、添付の請求項で定義する要旨の範囲内で変更が可能であることは理解されよう。
【００６２】
以下の請求項および原稿用ホルダに関する上述の説明において、使用された言語や必要な含意のため文脈が他を規定する場合を除いて、用語「備える」あるいはその変形の「備えた」または「備え」は包括的な意味で使用されており、すなわち、記載された特徴の存在を特定するが、原稿用ホルダの様々な実施例における更なる特徴の存在または追加を排除するものではない。
【００６３】
原稿用ホルダの広義の要旨の範囲内で、先に定義した部分に、変形および／または変更を施すことが可能である。
【図１】
2013105498.tif 000003
【図２】
2013105498.tif 000004
【図３】
2013105498.tif 000005
【図４】
2013105498.tif 000006
【図５】
2013105498.tif 000007
【図６】
2013105498.tif 000008
【図７】
2013105498.tif 000009
【図８】
2013105498.tif 000010
【図９】
2013105498.tif 000011
【図１０】
2013105498.tif 000012
【図１１】
2013105498.tif 000013
【図１２】
2013105498.tif 000014
【図１３】
2013105498.tif 000015
【図１４】
2013105498.tif 000016
【図１５】
2013105498.tif 000017
【図１６】
2013105498.tif 000018
【図１７】
2013105498.tif 000019
【図１８】
2013105498.tif 000020
【図１９】
2013105498.tif 000021
【図２０】
2013105498.tif 000022
【図２１】
2013105498.tif 000023
【図２２】
2013105498.tif 000024
【図２３】
2013105498.tif 000025
【図２４】
2013105498.tif 000026
【外国語明細書】
2013105498.tif 000027
2013105498.tif 000028
2013105498.tif 000029
2013105498.tif 000030
2013105498.tif 000031
2013105498.tif 000032
2013105498.tif 000033
2013105498.tif 000034
2013105498.tif 000035
2013105498.tif 000036
2013105498.tif 000037
2013105498.tif 000038
2013105498.tif 000039
2013105498.tif 000040
2013105498.tif 000041
2013105498.tif 000042
【図１】
2013105498.tif 000043
【図２】
2013105498.tif 000044
【図３】
2013105498.tif 000045
【図４】
2013105498.tif 000046
【図５】
2013105498.tif 000047
【図６】
2013105498.tif 000048
【図７】
2013105498.tif 000049
【図８】
2013105498.tif 000050
【図９】
2013105498.tif 000051
【図１０】
2013105498.tif 000052
【図１１】
2013105498.tif 000053
【図１２】
2013105498.tif 000054
【図１３】
2013105498.tif 000055
【図１４】
2013105498.tif 000056
【図１５】
2013105498.tif 000057
【図１６】
2013105498.tif 000058
【図１７】
2013105498.tif 000059
【図１８】
2013105498.tif 000060
【図１９】
2013105498.tif 000061
【図２０】
2013105498.tif 000062
【図２１】
2013105498.tif 000063
【図２２】
2013105498.tif 000064
【図２３】
2013105498.tif 000065
【図２４】
2013105498.tif 000066